(57)【要約】複数のページングオケージョンに対して組み合わされるウェイクアップ信号【解決手段】  ウェイクアップ信号（７００から７０６）は、複数の端末（１０２、１０２−１から１０２−８）に対する複数のページングオケージョン（４９０１から４９０４）に関連付けられる。複数のページングオケージョン（４９０１から４９０４）のそれぞれは、複数の端末７００（１０２、１０２−１、１０２−８）のうち１つまたは複数に関連付けられる【選択図】図１５
2021502029.tif 000002
【特許請求の範囲】
【請求項１】
端末（１０２、１０２−１から１０２−８）を作動させる方法であって、
前記複数の端末（１０２、１０２−１から１０２−８）に対する複数のページングオケージョン（４９０１から４９０４）に関連付けられたウェイクアップ信号（７００から７０６）を受信し、前記複数のページングオケージョン（４９０１から４９０４）のそれぞれは、前記複数の端末（１０２、１０２−１から１０２−８）のうち１つまたは複数と関連付けられることと、
前記ウェイクアップ信号（７００から７０６）の前記受信に応じて、前記複数のページングオケージョン（４９０１から４９０４）のうち少なくとも１つのページングオケージョン（４９０１から４９０４）で、ページング信号（４００４）をリッスンすることと
を含む方法。
【請求項２】
前記ウェイクアップ信号（７００、７０２、７０４から７０６）は、前記複数のページングオケージョン（４９０１から４９０４）を示す、請求項１に記載の方法。
【請求項３】
前記ウェイクアップ信号（７００、７０５、７０６）は、前記複数のページングオケージョン（４９０１から４９０４）のそれぞれに対して前記ウェイクアップ信号（７００）に関連付けられた時間−周波数位置を示す、請求項２に記載の方法。
【請求項４】
前記ウェイクアップ信号（７００、７０５）は、前記複数のページングオケージョン（４９０１から４９０４）を含む少なくとも１つの無線フレームを示す、請求項１〜３のいずれか１項に記載の方法。
【請求項５】
前記複数のページングオケージョン（４９０１から４９０４）の時間−周波数位置は、少なくとも部分的に予め定められる、請求項１または２に記載の方法。
【請求項６】
前記ウェイクアップ信号（７００、７０４）は、ビットマップインジケータを含み、前記ビットマップインジケータのそれぞれのエントリは、前記複数のページングオケージョン（４９０１から４９０４）のうち１つ、および前記複数の端末（１０２、１０２−１から１０２−８）のうち少なくとも１つに関連付けられる、請求項１〜５のいずれか１項に記載の方法。
【請求項７】
前記ウェイクアップ信号（７００、７０４）は、前記複数のページングオケージョン（４９０１から４９０４）と、前記複数の端末（１０２、１０２−１から１０２−８）との間のマッピングを示す、請求項１〜６のいずれか１項に記載の方法。
【請求項８】
前記ウェイクアップ信号（７００、７０４）は、前記マッピングを示すビットマップインジケータを含むか、または前記ウェイクアップ信号（７００、７０４）は、複数の所定の候補ビット系列から選択されるビット系列を含み、各候補ビット系列は、前記複数のページングオケージョンと、前記複数の端末との間の対応するマッピングに関連付けられる、請求項７に記載の方法。
【請求項９】
前記ウェイクアップ信号（７００、７０１）は、端末不特定ベース系列から生成される、請求項１〜６のいずれか１項に記載の方法。
【請求項１０】
前記複数のページングオケージョン（４９０１から４９０４）は、時間領域、周波数領域、およびコード領域のうち少なくとも１つでオフセットされる、請求項１〜９のいずれか１項に記載の方法。
【請求項１１】
前記ウェイクアップ信号（７００、７０３、７０４）は、前記複数の端末（１０２、１０２−１から１０２−８）を示す、請求項１〜１０のいずれか１項に記載の方法。
【請求項１２】
前記複数のページングオケージョン（４９０１から４９０４）のうち少なくとも一部は、前記複数の端末（１０２、１０２−１から１０２−８）のうち１つまたは複数の端末（１０２、１０２−１から１０２−８）を含む、対応する端末グループのページングに対するものである、請求項１〜１１のいずれか１項に記載の方法。
【請求項１３】
基地局を作動させる方法であって、
複数の端末（１０２、１０２−１から１０２−８）の複数のページングオケージョン（４９０１から４９０４）に関連付けられたウェイクアップ信号（７００から７０６）を伝送し、前記複数のページングオケージョン（４９０１から４９０４）のそれぞれは、前記複数の端末（１０２、１０２−１から１０２−８）のうち１つまたは複数と関連付けられることと、
前記複数の端末（１０２、１０２−１から１０２−８）のうち少なくとも１つに対する前記複数のページングオケージョン（４９０１から４９０４）のうち少なくとも１つで、少なくとも１つのページング信号（４００４）を伝送することと
を含む方法。
【請求項１４】
制御回路（１０２２）を備える端末（１０２、１０２−１から１０２−８）であって、  前記制御回路は、
複数の端末（１０２、１０２−１から１０２−８）に対する複数のページングオケージョン（４９０１から４９０４）に関連付けられたウェイクアップ信号（７００から７０６）を受信し、前記複数のページングオケージョン（４９０１から４９０４）のそれぞれは、前記複数の端末（１０２、１０２−１から１０２−８）のうち１つまたは複数と関連付けられることと、
前記ウェイクアップ信号（７００から７０６）の前記受信に応じて、前記複数のページングオケージョン（４９０１から４９０４）のうち少なくとも１つのページングオケージョン（４９０１から４９０４）で、ページング信号（４００４）をリッスンすることと
を実施するように構成される、端末。
【請求項１５】
前記端末（１０２、１０２−１から１０２−８）は、請求項１〜１２のうちいずれか１項に記載の方法を実施するように構成される、請求項１４に記載の端末（１０２、１０２−１から１０２−８）。
【請求項１６】
制御回路（１０１２）を備える基地局であって、
前記制御回路は、
複数の端末（１０２、１０２−１から１０２−８）の複数のページングオケージョン（４９０１から４９０４）に関連付けられたウェイクアップ信号（７００から７０６）を伝送し、前記複数のページングオケージョン（４９０１から４９０４）のそれぞれは、前記複数の端末（１０２、１０２−１から１０２−８）のうち１つまたは複数と関連付けられることと、
前記複数の端末（１０２、１０２−１から１０２−８）のうち少なくとも１つに対する前記複数のページングオケージョン（４９０１から４９０４）のうち少なくとも１つで、少なくとも１つのページング信号（４００４）を伝送することと
を実施するように構成される、基地局。
【請求項１７】
前記基地局は、請求項１３の方法を実施するように構成される、請求項１６に記載の基地局。
【発明の詳細な説明】
【技術分野】
【０００１】
本発明の種々の例は、概して、ウェイクアップ信号の通信に関する。種々の例は、特に複数の端末に対する複数のページングオケージョンに関連付けられたウェイクアップ信号の通信に関する。
【背景技術】
【０００２】
無線通信は、現代生活の中で不可欠な部分である。モノのインターネット（Internet  Of  Things：ＩＯＴ）またはマシンタイプコミュニケーション（Machine  Type  Communication：ＭＴＣ）などの種々の用途を可能にするために、無線通信の電力消費量を減らすことは重要な課題である。
【０００３】
無線通信の電力消費量を減らすための１つのアプローチは、ウェイクアップ技術を使用することである。ここで、端末／ユーザ端末（User  Equipment：ＵＥ）は、２つの受信機、すなわち、１つのメイン受信機と低電力受信機とを備える場合がある。低電力受信機は比較的単純なアーキテクチャを実装することができるので、メイン受信機よりも作動中の電力消費が少ない場合がある。メイン受信機が非アクティブ状態に遷移するときに、低電力受信機は起動される場合がある。次いで、低電力受信機はウェイクアップ信号（Wake-Up  Signal：ＷＵＳ）を受信する場合があり、かつＷＵＳの受信に応じてメイン受信機は、再度アクティブ状態に遷移し得る。ペイロードデータは、メイン受信機によって伝送および／または受信（通信）される場合がある。
【０００４】
第３世代パートナーシッププロジェクト（Third  Generation  Partnership  Project：３ＧＰＰ）のTSG  RAN  Meeting  #74  contribution  RP-1  62286  “Motivation  for  New  Wl  on  Even  further  enhanced  MTC  for  LTE”、3GPP  TSG  RAN  Meeting  #74  contribution  RP62  26  “Enhancements  for  Rel-15  eMTC/NB-loT”、および3GPP  TSG  RAN  WG1#88  R1  -17031  39  “Wake  Up  Radio  for  NR”にて、実装形態の例が記載されている。3GPP  R2-1  708285を参照されたい。
【０００５】
ＷＵＳは、ページングインジケータに先だって送信される。ページングインジケータは、ページング制御チャネルで伝送される。ＷＵＳを検出する場合、ＵＥは、ページング制御チャネル上の信号をリッスンする。ＷＵＳは、ＷＵＳが向けられたエンティティをＵＥが識別できるようにＵＥと関連付けられる。
【０００６】
このような技術は、ある種の制約および欠点に直面している。例えば、特にＩＯＴフレームワークにおいて、ネットワークに接続しているＵＥの数が増えると、ＷＵＳシグナリングに起因する制御シグナリングオーバーヘッドが増大することが予想される。
【発明の概要】
【発明が解決しようとする課題】
【０００７】
したがって、先進のウェイクアップ技術が必要とされている。特に、先に確認した欠点および制約のうち少なくとも一部を克服または緩和することが必要とされている。
【課題を解決するための手段】
【０００８】
この必要性は、独立請求項の特徴によって満たされる。従属請求項は、実施形態を定義する。
【０００９】
この必要性は、独立請求項の特徴によって満たされる。従属請求項の特徴は、実施形態を定義する。
【００１０】
端末を作動させる方法は、複数のページングオケージョンに関連付けられたＷＵＳを受信することを含む。複数のページングオケージョンは、複数の端末に対するものである場合がある。例えば、複数のページングオケージョンのそれぞれは、複数の端末のうち１つまたは複数に関連付けられてよい。方法はまた、ＷＵＳの上記受信に応じて、複数のページングオケージョンのうち少なくとも１つのページングオケージョンでページング信号をリッスンすることを含む。
【００１１】
コンピュータプログラム製品またはコンピュータプログラムは、制御回路によって実行されるプログラムコードを含む。プログラムコードの実行により、制御回路に端末を作動させる方法を実施させる。方法は、複数の端末に対する複数のページングオケージョンに関連付けられる場合があるＷＵＳを受信することを含む。複数のページングオケージョンのそれぞれは、複数の端末のうち１つまたは複数に関連付けられてよい。方法はまた、上記ＷＵＳ受信に応じて、複数のページングオケージョンのうち少なくとも１つのページングオケージョンでページング信号をリッスンすることを含む。
【００１２】
端末は、複数の端末に対する複数のページングオケージョンに関連付けられたＷＵＳを受信するように構成された制御回路を備える。複数のページングオケージョンのそれぞれは、複数の端末のうち１つまたは複数と関連付けられてよい。制御回路はまた、上記ＷＵＳ受信に応じて、複数のページングオケージョンのうち少なくとも１つのページングオケージョンで、ページング信号をリッスンするように構成される。
【００１３】
基地局を作動させる方法は、複数の端末に対する複数のページングオケージョンに関連付けられたＷＵＳを伝送することを含む。複数のページングオケージョンのそれぞれは、複数の端末のうち１つまたは複数に関連付けられる。方法はまた、複数の端末のうち少なくとも１つに対する複数のページングオケージョンのうち少なくとも１つで、少なくとも１つのページング信号を伝送することを含む。
【００１４】
コンピュータプログラム製品またはコンピュータプログラムは、制御回路によって実行されるプログラムコードを含む。プログラムコードの実行により、制御回路に基地局を作動させる方法を実施させる。方法は、複数の端末に対する複数のページングオケージョンに関連付けられたＷＵＳを伝送することを含む。複数のページングオケージョンのそれぞれは、複数の端末のうち１つまたは複数に関連付けられる。方法はまた、複数の端末のうち少なくとも１つに対する複数のページングオケージョンのうち少なくとも１つで、少なくとも１つのページング信号を伝送することを含む。
【００１５】
基地局は、複数の端末に対する複数のページングオケージョンに関連付けられたＷＵＳを伝送するように構成された制御回路を備える。複数のページングオケージョンのそれぞれは、複数の端末のうち１つまたは複数に関連付けられる。制御回路はまた、複数の端末のうち少なくとも１つに対する複数のページングオケージョンのうち少なくとも１つで、少なくとも１つのページング信号を伝送するように構成される。
【００１６】
上記または下記の例では、複数のページングオケージョンのうち異なるものが、異なる端末に少なくとも部分的に関連付けられることが考えられる場合がある。したがって、ページングは、ページングオケージョン間で少なくとも部分的に異なる場合がある。別の例では、複数のページングオケージョンの異なるものが、同じ端末に関連付けられることが考えられる。言い換えると、ＵＥの観点から、ＷＵＳとページングオケージョンとの間で１対Ｎのマッピングがあり得る。
【００１７】
上記および下記の例では、異なるまたは別個のページングオケージョンを使用することが可能である場合がある。したがって、異なるページングオケージョンは、それらの位置時間領域、コード領域でのそれらの位置、および周波数領域でのそれらの位置のうち少なくとも１つで互いに異なるものであってもよい。
【００１８】
このような技術によって、シグナリングオーバーヘッドを減少させたウェイクアップ技術を実装することが可能である。特に、複数のページングオケージョンに関連付けられた単一のＷＵＳを提供することによって、複数のページングオケージョンを対象とする全体的な制御シグナリングを減らすことができる。
【００１９】
上記の特徴、および以下でさらに説明する特徴は、発明の範囲から逸脱することなく、示される対応する組み合わせだけでなく、他の組み合わせでも、または単独でも使用されてよいことを理解すべきである。
【図面の簡単な説明】
【００２０】
【図１】種々の例に従うコアネットワークおよび無線アクセスネットワークを含むネットワークを示す概略図である。
【図２】種々の例に従う複数のチャネル間のリソース割り当てを示す概略図である。
【図３】種々の例に従う無線アクセスネットワークのＢＳを示す概略図である。
【図４】種々の例に従うＢＳを介してネットワークに接続可能なＵＥを示す概略図である。
【図５】種々の例に従うＵＥの受信機を示す概略図である。
【図６】種々の例に従うＵＥの受信機を示す概略図である。
【図７】種々の例に従って、ＷＵＳを生成する方法を示す概略図である。
【図８】種々の例に従うＷＵＳの受信を示す概略図である。
【図９】種々の例に従うＵＥとＢＳとの間のシグナリングのシグナリング図である。
【図１０】種々の例に従って、ＵＥが作動され得るモードを示す概略図である。
【図１１】間欠受信サイクル、および種々の例に従ったモードに従う、異なる状態でのＵＥの受信機の作動を示す概略図である。
【図１２】種々の例に従うＵＥのページングを示す概略図である。
【図１３】種々の例に従うＷＵＳを使用したＵＥのページングを示す概略図である。
【図１４】参考実装形態に従うＷＵＳとページングオケージョンとの関連付けを示す概略図である。
【図１５】種々の例に従う単一のＷＵＳと複数のページングオケージョンとの関連付けを示す概略図である。
【図１６】種々の例に従う複数のページングオケージョンを示すＷＵＳを示す概略図である。
【図１７】種々の例に従う複数のページングオケージョンを示すＷＵＳを示す概略図である。
【図１８】種々の例に従う複数のページングオケージョンを示すＷＵＳを示す概略図である。
【図１９】種々の例に従う複数のページングオケージョンを示すＷＵＳを示す概略図である。
【図２０】種々の例に従う複数のページングオケージョンを示すＷＵＳを示す概略図である。
【図２１】種々の例に従う複数のページングオケージョンを示すＷＵＳを示す概略図である。
【図２２Ａ】種々の例に従う複数のページングオケージョンを示すＷＵＳを示す図である。
【図２２Ｂ】種々の例に従う複数のページングオケージョンを示すＷＵＳを示す図である。
【図２３】種々の例示に従う方法のフロー図である。
【発明を実施するための形態】
【００２１】
以下、添付図面を参照しながら、本発明の実施形態を詳細に述べる。実施形態の以下の説明が、限定的な意味で解釈されるべきではないことを理解されたい。本発明の範囲は、以下の記載する実施形態または図面によって限定されることを意図するものではなく、それらは、単に例示的なものである。
【００２２】
図面は、概略表現と見なされるべきであり、また図面内に示された要素は必ずしも縮尺通りに示されているわけではない。むしろ、各種要素は、それらの機能および一般的な目的が当業者に明らかになるように表現されている。図中に示される、または本明細書に記載される、機能ブロック、装置、構成要素、もしくは他の物理的または機能的ユニット間の任意の接続または連結は、間接的な接続または連結によって実装されてよい。構成要素間の連結は、無線接続を介して確立されてよい。機能的ブロックは、ハードウェア、ファームウェア、ソフトウェア、またはこれらの組み合わせで実装されてよい。
【００２３】
以下、ウェイクアップ技術について記載する。ウェイクアップ技術は、例えば、電力節約の目的で、ＵＥがメイン受信機を低電力状態に遷移させることを可能にする。一部の例では、メイン受信機の低電力状態は、非アクティブ状態である場合がある。
【００２４】
非アクティブ状態は、メイン受信機のアクティブ状態と比べて、大幅に低減された消費電力が特徴である場合がある。例えば、メイン受信機は、一部またはすべての構成要素がシャットダウンされる場合があるような非アクティブ状態では、いずれのデータも受信する能力がない場合がある。さらにまた、メイン受信機の非アクティブ状態からのウェイクアップは、ＷＵＳによってトリガされる。
【００２５】
ＷＵＳは、ＵＥの専用低電力受信機によって受信される場合がある。ＷＵＳは、低電力受信機による単純な時間領域オペレーションを促進することができる、例えば、オンオフ変調などの比較的単純な変調を行う場合がある。例えば、非コヒーレント復号が考えられる場合がある。非コヒーレント復号では、基準位相についての認識は信号検出に必要ではない。その他の例では、ＷＵＳは、低電力状態のメイン受信機によって受信される場合がある。この場合、ＷＵＳは専用の低電力受信機に提供されない場合がある。
【００２６】
低電力受信機およびメイン受信機は、同じハードウェアコンポーネント内部に実装されるか、少なくとも１つの異なるハードウェアコンポーネントによって実装される場合がある。
【００２７】
ＷＵＳは、ページング信号および／またはページングメッセージが通信される制御チャネルのブラインド復号をしないように助力する場合がある。典型的にはこのようなブラインド復号は、電力効率が比較的良くないので、ＷＵＳを使用することによって電力消費を低減することができる。このことは、以下でさらに詳しく説明する。例えば、３ＧＰＰシナリオでは、ＵＥは、ＵＥ識別情報としてのＰ−ＲＮＴＩに関して、（マシンタイプコミュニケーションの）制御チャネルＭＰＤＣＣＨ、（ＬＴＥの）ＰＤＣＣＨ、または（ＮＢ−ＩＯＴの）ＮＰＤＣＣＨを、ページングオケージョン（Paging  Occasion：ＰＯ）の間にブラインド復号することが想定される。Ｐ−ＲＮＴＩを含むページングインジケータの存在が検出される場合、ＵＥはページングメッセージ用の後続のＰＤＳＣＨを引き続き復号する。しかし、ＰＤＳＣＨのページングメッセージは特定のＵＥ向けではなく、他のＵＥのページングを示している場合がある。この場合、その特定のＵＥは、次のＰＯまでスリープに戻る必要がある。さらに、ページング頻度が非常に低い用途では、ＵＥアイドルリスニングのコストは相対的に非常に高くなる場合がある。この条件下では、ＵＥはいずれのページングインジケーションも受信することなしに、制御チャネルを監視する必要がある。マシンタイプコミュニケーション（ＭＴＣ）では、対応するＭＰＤＣＣＨ制御チャネルがそのセル内で使用される最大拡張カバレッジを表す最大繰り返し回数で伝送されるので、より悪化する可能性さえある。ＵＥ関連様式でＷＵＳを準備することによって、ＵＥは、ページング信号をむやみに復号する必要性なしに、その後のページングの可能性を認識することができる。これにより、電力消費を低減する。
【００２８】
しかし、このような参考実装形態は、複数のＰＯに対して、複数のＷＵＳが複数のＰＯに関連付けられた複数のＵＥを対象とする必要があるという問題に直面している。これは、著しい制御シグナリングオーバーヘッドをもたらす可能性がある。
【００２９】
以下、ＷＵＳ技術を通して、複数のＵＥを対象とすることを容易にする技術について説明する。本明細書に記載される技術は、低減された制御シグナリングオーバーヘッドを伴う複数のＵＥのウェイクアップを容易にする。
【００３０】
このことは、一定の例に従ってＷＵＳごとに複数のＰＯを準備することによって達成される。したがって、ＷＵＳは、複数のＰＯに関連付けられることが可能である。言い換えると、ＷＵＳは、複数のＰＯでページング信号をリッスンするように、１つまたは複数のＵＥを制御することができる。したがって、ＷＵＳは、複数のＰＯ、およびそれに関する複数のＵＥのページングを対象とする。これにより、ＰＯごとに１つのＷＵＳを通信する必要性を回避でき、それにより、制御シグナリングオーバーヘッドを減らす。
【００３１】
したがって、各例によれば、ＵＥのセットは、ＷＵＳを一緒に共有するグループである場合がある。複数のＵＥが同じＰＯを共有していない場合であっても、それら複数のＵＥは、同じＷＵＳによってウェイクアップするか、またはスリープに入るかを指示される場合がある。
【００３２】
個々のＵＥは、複数のＰＯで重複してページングされる場合がある。
【００３３】
図１は、ネットワーク１００に関する態様を示す。このようなネットワーク１００は、本明細書で開示される種々の例、例えば、ＷＵＳの通信で用いられる場合がある。図１は、ネットワーク１００のアーキテクチャに関する態様を示す。図１の例に従ったネットワーク１００は、３ＧＰＰ  ＬＴＥアーキテクチャを実装する。
【００３４】
３ＧＰＰ  ＬＴＥフレームワークにおける、図１のネットワーク１００の図は、例示的目的のみのためにある。類似の技術が、様々な種類の３ＧＰＰ規定アーキテクチャに容易に適用可能である。例えば、本明細書に記載される技術は、３ＧＰＰ  ｅＮＢ−ｌｏＴ、ＭＴＣシステム、または場合によっては５Ｇと呼ばれる３ＧＰＰ新無線（New  Radio：ＮＲ）システムに適用することができる。例えば、3GPP  RP-1  61321、およびRP16  1324を参照されたい。さらに、それぞれの技術は、例えば、ブルートゥース（登録商標）、衛星ネットワーク、ＩＥＥＥ  ８０２．１１ｘＷｉＦｉ技術などの様々な種類の非３ＧＰＰ規定ネットワークに容易に適用することができる。
【００３５】
ネットワーク１００は、ＢＳ１０１によって構成される無線アクセスネットワーク（Radio  Access  Network  ：ＲＡＮ）を含む。ＵＥ１０２が、ＢＳ１０１を介してネットワークに接続される。無線リンク１１１が、ＵＥ１０２とＢＳ１０１との間で画定される。
【００３６】
ネットワーク１００は、コアネットワーク（Core  Network：ＣＮ）１１２を含む。ＣＮ１１２（３ＧＰＰ  ＬＴＥの進化型パケットコア（Evolved  Packet  Core：ＥＰＣ））は、ＲＡＮと通信している。ＣＮ１１２は、制御層およびデータ層を含む。制御層は、ホーム加入者サーバ（Home  Subscriber  Server：ＨＳＳ）１１５、モバイル管理エンティティ（Mobile  Management  Entity  ：ＭＭＥ）１１６、およびポリシー・課金規則機能（Policy  and  Charging  Rules  Function：ＰＣＲＦ）１１９などの制御ノードを含む。データ層は、サービングゲートウェイ（Serving  Gateway：ＳＧＷ）１１７、およびパケットデータネットワークゲートウェイ（Packet  Data  Network  Gateway：ＰＧＷ）１１８などのゲートウェイノードを含む。
【００３７】
例えば、対応するＵＥ１０２がＲＲＣアイドルモードで作動している場合、ＭＭＥ１１６は、ＵＥ１０２のＣＮ始動ページングを制御する。ＭＭＥ１１６は、ＵＥ１０２の間欠受信（Discontinuous  Reception：ＤＲＸ）サイクルのタイミングを常時監視している場合がある。例えば、ＭＭＥ１１６は、データ接続１６０を確立する部分である場合がある。ＭＭＥ１１６は、ＢＳ１０１によるＷＵＳおよび／またはページング信号の伝送をトリガする場合がある。
【００３８】
データ接続１６０は、対応するＵＥ１０２が、ＲＲＣ接続モードで作動している場合に確立される。ＵＥ１０２の現在の状態を常時監視するために、ＭＭＥ１１６は、ＵＥ１０２をＥＣＭ接続またはＥＣＭアイドルに設定する。ＥＣＭ接続の間、非アクセス層（Non-Access  Stratum：ＮＡＳ）接続が、ＵＥ１０２とＭＭＥ１１６との間で継続される。ＮＡＳ接続は、モビリティ制御接続の一例を実装する。
【００３９】
ＣＮ１１２のネットワークノード１１５から１１９、１２１の基本的機能および目的は、この文脈では詳細な説明は必要がないような当該技術分野において周知のものである。
【００４０】
データ接続１６０は、ＲＡＮを介してＵＥ１０２とＣＮ１１２のデータ層との間で、かつアクセスポイント１２１に向けて確立される。例えば、インターネットまたは別のパケットデータネットワークとの接続は、アクセスポイント１２１を介して確立される場合がある。データ接続１６０を確立するために、対応するＵＥ１０２は、例えば、ネットワークページング、および任意選択で先行するＷＵＳの受信に応じて、ランダムアクセス（Random  Access：ＲＡＣＨ）プロシージャを実施する可能性がある。パケットデータネットワークまたはインターネットのサーバは、ペイロードデータがデータ接続１６０を介して通信されるサービスをホストする場合がある。データ接続１６０は、専用ベアラまたはデフォルトベアラなどの１つまたは複数のベアラを含む場合がある。データ接続１６０は、例えば、概して、レイヤ２のＯＳＩモデルのレイヤ３であるＲＲＣ層で画定される場合がある。したがって、データ接続１６０の確立は、ＯＳＩネットワーク層制御信号を含む場合がある。データ接続１６０を用いて、時間−周波数リソースを物理ＵＬ共有チャネル（Physical  UL  Shared  Channel：ＰＵＳＣＨ）および／または物理ＤＬ共有チャネル（Physical  DL  Shared  Channel：ＰＤＳＣＨ）などのペイロードチャネルに割り当てて、ペイロードデータの伝送を促進する場合がある。物理ＤＬ制御チャネル（Physical  DL  Control  Channel：ＰＤＣＣＨ）などの制御チャネルは、制御データの伝送を促進する場合がある。物理ＵＬ制御チャネル（Physical  UL  Control  Channel：ＰＵＣＣＨ）もまた実装される場合がある。図２は、時間−周波数グリッドで、異なる通信チャネル２６１から２６３に割り当てられた時間−周波数リソースを示す。
【００４１】
図２は無線リンク１１１に実装されるチャネル２６１から２６３に関する態様を示す。無線リンク１１１は、複数の通信チャネル２６１から２６３を実装する。チャネル２６１から２６３の１つまたは複数のサブフレームを含む各伝送フレーム（例えば、無線フレームによって実装される）は、一定の時間長を占める。各チャネル２６１から２６３は、時間領域と周波数領域とで画定された複数のリソースを含む。例えば、リソースは、直交周波数分割多重（Orthogonal  Frequency  Division  Multiplexing：ＯＦＤＭ）に従って、符号化および変調されたシンボルに対して画定される場合がある。リソースは、時間−周波数リソースグリッドで画定される場合がある。
【００４２】
例えば、第１チャネル２６１は、ＷＵＳを搬送してもよい。ＷＵＳは、ＵＥ１０２が対応するアイドルモードのときに、ネットワーク１００（例えば、ＭＭＥ１１６）がＵＥ１０２にページングを行うことを可能にする。したがって、ＷＵＳは、チャネル２６１の専用リソースで通信されてよい。
【００４３】
第２チャネル２６２は、ＵＥ１０２が対応するアイドルモードのときに、ネットワーク１００（例えば、ＭＭＥ１１６）がＵＥ１０２にページングを行うことを可能にするページング信号またはページングインジケータを搬送してもよい。したがって、ページング信号またはページングインジケータは、チャネル２６２の専用リソースで通信されてよい。通常、ページングインジケータはＰＤＣＣＨで通信される。
【００４４】
上記のことから理解されるように、ＷＵＳとページング信号とは異なるチャネル２６１、２６２で伝送されるので、互いに異なるものであってよい。異なるリソースが、異なるチャネル２６１から２６３に割り当てられてよい。
【００４５】
さらに、第３チャネル２６３は、ＵＥ１０２およびＢＳ１０１によって実装される所定のサービスに関連付けられた上位層ユーザプレーンデータパケットを搬送するペイロードメッセージ（ペイロードチャネル２６３）に関連付けられる。ユーザデータメッセージは、ペイロードチャネル２６３を介して伝送されてよい。Ｅ−ＵＴＲＡＮ  ＲＡＴによれば、ペイロードチャネル２６３は、ＰＤＳＣＨまたはＰＵＳＣＨである場合がある。あるいは、制御メッセージは、チャネル２６３、例えば、ページングメッセージを介して伝送されてもよい。
【００４６】
図３は、ＢＳ１０１を概略的に示す。ＢＳ１０１は、インターフェース１０１１を含む。例えば、インターフェース１０１１は、アナログフロントエンドおよびデジタルフロントエンドを含んでもよい。ＢＳ１０１は、例えば、１つまたは複数のプロセッサおよびソフトウェアによって実装される制御回路１０１２をさらに含む。例えば、制御回路１０１２によって実行されるプログラムコードが、不揮発性メモリ１０１３に記憶されていてもよい。本明細書で開示される種々の例では、種々の機能、例えば、ＷＵＳの伝送、複数のＵＥに対する複数のＰＯと関連付けられたＷＵＳの生成などが、制御回路１０１２によって実装される場合がある。
【００４７】
図４は、ＵＥ１０２を概略的に示す。ＵＥ１０２は、インターフェース１０２１を含む。例えば、インターフェース１０２１は、アナログフロントエンドおよびデジタルフロントエンドを含んでもよい。一部の例では、インターフェース１０２１は、メイン受信機および低電力受信機を含む場合がある。メイン受信機および低電力受信機のそれぞれが、アナログフロントエンドおよびデジタルフロントエンドをそれぞれ含んでもよい。ＵＥ１０２は、例えば、１つまたは複数のプロセッサおよびソフトウェアによって実装される制御回路１０２２をさらに含む。制御回路１０２２は、ハードウェアに少なくとも部分的に実装されていてもよい。例えば、制御回路１０２２によって実行されるプログラムコードが、不揮発性メモリ１０２３に記憶されていてもよい。本明細書で開示される種々の例では、種々の機能、例えば、ＷＵＳの受信、メイン受信機の非アクティブ状態とアクティブ状態との間の遷移、メイン受信機および／または低電力受信機のＤＲＸサイクルの実装、ＷＵＳに基づくＰＯの識別などが、制御回路１０２２によって実装される場合がある。
【００４８】
図５は、ＵＥ１０２のインターフェース１０３１に関して詳細を示す。特に、図５は、メイン受信機１３５１および低電力受信機１３５２に関する態様を示す。図５では、メイン受信機１３５１と低電力受信機１３５２とは、別々のエンティティとして実装されている。例えば、それらは異なるチップに実装されてもよい。例えば、それらは異なるハウジングに実装されてもよい。例えば、それらは共通の電源装置を共有していなくてもよい。
【００４９】
シナリオ図５は、メイン受信機を非アクティブ状態で作動させるときに、メイン受信機１３５１の一部またはすべてのコンポーネントの電源を切ることができるようにする場合がある。本明細書に記載される種々の例では、続いて、低電力受信機１３５２を使用してＷＵＳを受信することが可能である場合がある。また、低電力受信機１３５２は、例えば、ＤＲＸサイクルに従って、非アクティブ状態とアクティブ状態との間で切り換えられてよい。
【００５０】
例えば、メイン受信機１３５１が電源を入れられる場合、低電力受信機１３５２は電源を切られてもよく、逆も同様である。したがって、メイン受信機１３５１と低電力受信機１３５２とは、作動時に（図５の矢印で示されている）相互関係があってもよい。
【００５１】
図６は、ＵＥ１０２のインターフェース１０３１に関して詳細を示す。特に、図６は、メイン受信機１３５１および低電力受信機１３５２に関する態様を示す。図６では、メイン受信機１３５１と低電力受信機１３５２とは、共通エンティティとして実装されている。例えば、それらは共通チップに実装されて（すなわち、共通ダイに集積されて）いてもよい。例えば、それらは共通のハウジングに実装されてもよい。例えば、それらは共通の電源装置を共有していてもよい。
【００５２】
シナリオ図６は、例えば、ＷＵＳのウェイクアップ受信機１３５２による受信と、メイン受信機１３５１による受信との間の遷移で、特段の低遅延を可能にする場合がある。
【００５３】
図５および６では、シナリオにはメイン受信機１３５１と低電力受信機１３５２とが、共通アンテナを共有している場合が示されているが、他の例では、インターフェース１０３１が、メイン受信機１３５１および低電力受信機１３５２用に専用の各アンテナを含むことも可能である。
【００５４】
図５および６の例では、シナリオには専用の低電力受信機１３５２がある場合が示されているが、他の例では、低電力受信機がない場合もある。その代わりに、ＷＵＳは、低電力状態のメイン受信機１３５１によって受信される場合がある。例えば、メイン受信機１３５１は、低電力状態で、ＷＵＳ以外の普通のデータを受信しないように適合されてもよい。その場合、ＷＵＳの受信に応じて、メイン受信機１３５１は、例えば、ＰＤＳＣＨまたはＰＤＣＣＨなど上の普通のデータを受信するように適合されている高電力状態に遷移してもよい。
【００５５】
図７は、種々の例に従った方法のフロー図である。図７は、ＷＵＳを構築または生成することに関する態様を示す。
【００５６】
例えば、図７に従った方法は、ＢＳ１０１の制御回路１０１２によって実行される可能性がある。図７は、ＷＵＳの系列設計に関する態様を示す。本明細書に記載される種々の例では、図７の方法に従ってＷＵＳを構築することが可能である場合がある。
【００５７】
まず、一定のベース系列が選択される（２００１）。例えば、ベース系列は、ランダムに生成されたビットのセットであってもよい。例えば、ベース系列は、ＵＥまたはＵＥのグループに対して一意なものであってもよい。例えば、ベース系列は、複数の候補ＰＯから選択された複数のＰＯに対して一意なものであってもよい。例えば、ベース系列は、ネットワーク１００のセルに対して一意なものであってもよい。例えば、ベース系列は、Ｚａｄｏｆｆ−Ｃｈｕ系列、直交または準直交系列のセットから選択される系列、およびウォルシュ・アダマール系列を含むグループから選択されてよい。例えば、特定のベース系列またはベース系列のタイプの選択は、ＷＵＳの系列設計によって決まる場合がある。例えば、ＷＵＳのベース系列の系列長の設定は、ＷＵＳの系列設計によって決まる場合がある。ベース系列の選択は、ＷＵＳの系列設計によって決まる場合がある。
【００５８】
一部の例では、異なるベース系列が、異なるＷＵＳ向けに選択されてもよい。特に、ベース系列は、ＷＵＳの目的の配信先に基づいて、すなわち、ＷＵＳが伝送されることになる特定のＵＥ１０２に応じて選択されてもよい。言い換えると、ベース系列は、ＷＵＳの目的の配信先として対応するＵＥ１０２に、一意的に関連付けられることが可能である場合がある。異なるＵＥが、異なるベース系列によって対象とされてもよい。したがって、ベース系列は、識別情報コードとも呼ばれる場合がある。このことにより、ＵＥ関連となるＷＵＳを実装することが可能である場合がある。別の可能性としては、１つのベース系列を２つ以上のＵＥと関連付けることがある。また、このようなシナリオでは、ＷＵＳは、ＵＥ関連であり、特に、複数のＵＥに関する。したがって、ＷＵＳは、２つ以上のＵＥのグループと関連してもよい。
【００５９】
次に、拡散がベース系列に適用されてよい（２００２）。ビット系列を拡散するときに、入力ビット系列は、拡散系列で拡散／乗算される。これは、拡散係数Ｋによって、入力ビット配列の長さを増大させる。結果として生じるビット系列は、入力ビット系列に拡散係数を掛けたものと同じ長さである場合がある。拡散の詳細は、拡散パラメータによって設定することができる。例えば、拡散パラメータは、拡散系列、例えば、拡散系列の長さまたは拡散系列の個々のビットを指定してもよい。拡散パラメータの設定は、ＷＵＳの系列設計によって決まる場合がある。
【００６０】
次に、スクランブリングが、拡散されたベース系列に適用されてよい（２００３）。スクランブリングは、１つまたは複数の規則に従って、入力ビット系列のビットの系列を交換する、または入れ替えることに関連する場合がある。スクランブリングは、入力ビット系列のランダム化を施す。スクランブリングコードに基づいて、元のビット系列は、配信先で再現可能である。スクランブリングの詳細は、スクランブリングパラメータによって設定され得る。例えば、スクランブリングパラメータにより、１つまたは複数の規則を識別できる。例えば、スクランブリングパラメータは、スクランブリングコードに関する場合がある。スクランブリングパラメータの設定は、ＷＵＳの系列設計によって決まる場合がある。
【００６１】
一部の例では、さらにＷＵＳにチェックサムを追加することが考えられる場合がある。チェックサムの追加は、ＷＵＳの系列設計によって決まる場合がある。例えば、チェックサム保護パラメータは、チェックサムを含むか、または含まないかを設定してもよい。例えば、チェックサム保護パラメータは、チェックサムの長さを設定してもよい。例えば、チェックサム保護パラメータは、例えば、異なる誤り訂正アルゴリズムなどに従って、チェックサムのタイプを設定してもよい。
【００６２】
一部の例では、ＷＵＳにプリアンブルを追加することが考えられる場合がある。プリアンブルは、プリアンブルビットの系列を含んでもよい。例えば、プリアンブルビットの系列は、特定の長さを有してもよい。プリアンブルビットの系列は、例えば、バースト誤りなどが存在する場合であっても、ＷＵＳの堅牢な識別を可能にする場合がある。プリアンブルの存在、プリアンブルの長さ、および／またはプリアンブル系列のタイプなどは、ＷＵＳの系列設計のプリアンブルパラメータに従って設定することができる性質のものであり得る。
【００６３】
図８は低電力受信機１３５２によって、受信されるＷＵＳ４００３の処理に関する態様を示す。アナログフロントエンド１３６１は、ベースバンド内のＷＵＳ４００３に対応するビット系列を、デジタルフロントエンド１３６９に出力する。
【００６４】
本明細書に記載される種々の例では、ＷＵＳ４００３を識別するために、時間領域および／または周波数領域処理が用いられる。時々、それぞれの処理は、シンボル系列に関する場合がある。代替または追加として、それぞれの処理は、ビット系列に関する場合がある。例えば、処理（例えば、相関）が受信機の高速フーリエ変換（Fast  Fourier  Transform：ＦＦＴ）出力である場合、その処理は、シンボル系列に関する場合がある。例えば、処理（例えば、相関）が復調出力の後、例えば、Ｍ−ＱＡＭまたはＰＳＫ出力の後である場合、その処理は、ビット系列に関する場合がある。
【００６５】
デジタルフロントエンド１３６９によるＷＵＳの処理は、例えば、ページングインジケータの処理と比べて比較的単純にすることができる。従来のＬＴＥでは、一旦、ＵＥがＰＯをスケジュールされると、すなわち、ページングインジケータをリッスンするために割り当てられると、ＵＥは、ＰＤＣＣＨを復号する準備ができていると予想される。したがって、ページング信号は、Ｐ−ＲＮＴＩおよびＰ−ＲＮＴＩでスクランブルされるＰＤＣＣＨチェックサムなどの一時的な識別情報を含む場合がある。ページングインジケータは、ＰＤＣＣＨで伝送される場合がある。ＰＤＣＣＨ計算は、特にＭＴＣでは電力を消費する可能性がある。
【００６６】
それとは異なり、ＷＵＳは、ＰＤＣＣＨから独立して伝送することができる。専用リソースを、ＷＵＳに割り当てることができる。ＷＵＳは、ＵＥがＰＤＣＣＨにアクセスする前に伝送することができる。一旦、ＵＥが、そのＵＥに割り当てられたＷＵＳを検出すると、ＵＥはＰＤＣＣＨの復号を開始することができる。
【００６７】
ＷＵＳおよびページング信号は、異なる物理チャネル２６１、２６２を用いてもよい。ＷＵＳは、ＵＥ固有識別のためにページング信号に含まれているＰ−ＲＮＴＩの参照を含んでいなくてもよい。ＷＵＳは、ページング信号の受信および復号よりも、ＵＥの計算／算出の必要が少なくなるように設計することができる。
【００６８】
例えば、ＷＵＳに関しては、ターボコード、畳込み符号などの、チャネルコーディングを行うことが好ましくない場合がある。ＷＵＳは、より高次な変調では作動しないような堅牢な信号であり得る。それは、オンオフ変調（On-Of-Keying：ＯＯＫ）、ＢＰＳＫなどの低次変調であり得る。ＷＵＳは、低ピーク対平均電力比特性を有する変調スキームを用いてもよい。ＷＵＳは、ランダムなビットおよび／または系列信号であり、ＵＥまたはＵＥのグループに割り当てられる一意なものであり得る。
【００６９】
次に、逆スクランブル機能１３６２が、逆スクランブルを実施する。
【００７０】
続いて、逆拡散機能１３６３が、適用される。
【００７１】
閾値ユニット１３６４が、その隣に設けられている。
【００７２】
系列復号器１３６５は、ビット系列への復号化アルゴリズムを用いる。最後に、送信部で用いられたベース系列が、続いて再構成される。
【００７３】
その場合、ベース系列と参照系列との間で相互相関を実施することが可能である。相互相関が有意な結果をもたらす場合、ＷＵＳ４００３は、特定のＵＥ１０２、および場合によっては別のＵＥに対して対象とされたと判断することができる。
【００７４】
次いで、上記相互相関に基づいて、メイン受信機１３５１を非アクティブ状態からアクティブ状態に選択的に遷移させることが可能である。
【００７５】
ベース系列の拡散および／またはスクランブリングによって、より確実な相互相関が実施可能である。例えば、ベース系列の拡散により、電波を通じて伝送されるＷＵＳ４００３向けにより長い系列が得られる。より長い系列は、概して、相互相関を実施するときに、誤検知に対してより堅牢である。図９は、シグナリング図である。図９は、ＵＥ１０２とＢＳ１０１との間の通信に関する態様を示す。図９は、ＷＵＳ４００３を伝送および／または受信（通信）することに関する態様を示す。本明細書に記載される種々の例に従って、図９に関して記載されるこのような技術は、ＷＵＳ４００３を通信するために用いることができる。特に、図９はまた、本明細書に記載される種々の例で用いられる場合があるＷＵＳの通信と、ページング信号４００４およびページングメッセージ４００５の通信との相互関係に関する態様を示す。
【００７６】
３００１で、制御メッセージ４００１が通信される。例えば、制御メッセージは、制御チャネル２６２、例えば、ＰＤＣＣＨで、通信される場合がある。例えば、制御メッセージは、レイヤ２またはレイヤ３制御メッセージであることがある。制御メッセージは、ＲＲＣ／上位層シグナリングに関するものである場合がある。例えば、制御メッセージ４００１は、例えば、セルに関連付けられたシステム情報ブロックでブロードキャストされる場合がある。
【００７７】
本明細書に記載される種々の例で使用される場合がある制御メッセージ４００１は、ＵＥ１０２によって実装されるウェイクアップ技術と関連する一定の特性を示してもよい。例えば、制御メッセージは、ＷＵＳの少なくとも１つのパートの堅牢性のレベルを構成してもよい。例えば、制御メッセージ４００１は、ＷＵＳ向けに用いられる変調および／またはコーディングスキーム（Modulation  and/or  Coding  Scheme：ＭＣＳ）を示してもよい。例えば、制御メッセージ４００１は、ＷＵのベース系列の長さを示してもよい。例えば、制御メッセージ４００１は、ＷＵＳ４００３の系列設計構成を示してもよい。例えば、制御メッセージ４００１はＰＯとＵＥとの間の固定マッピングを示してもよい（例えば、任意のＷＵＳ伝送に対して相対的に画定されてよい）。例えば、制御メッセージ４００１は、固定時間−周波数位置を示してもよい（例えば、任意のＷＵＳ伝送に対して別々に画定されてよい）。制御メッセージ４００１を実装して、ＷＵＳ４００３の系列設計構成を示すことによって、ＷＵＳ４００３の系列設計構成を動的に調整することが可能である。
【００７８】
３００１で、制御メッセージ４００１を通信することは、任意選択である。概して、ＷＵＳの系列設計構成の種々の特徴および／または従属性は、予め構成されてもよい。その場合、明示的な制御信号を必要としなくてもよい。
【００７９】
３００２で、ユーザデータメッセージ４００２が通信される。例えば、ユーザデータメッセージ４００２は、ペイロードチャネル２６３で通信されてもよい。例えば、ユーザデータメッセージ４００２は、例えば、ベアラの一部としてなど、データ接続１６０に沿って通信されてよい。
【００８０】
その場合、ＵＥ１０２とＢＳ１０１との間でそれ以上のデータは通信されない。伝送バッファは空である。これは、タイマをトリガしてもよい。例えば、タイマは、ＵＥ１０２に実装されていてもよい。非アクティブスケジュール２０１に従う一定のタイムアウト期間セットの後に、ＵＥ１０２のメイン受信機１３５１は、アクティブ状態から、非アクティブ状態３８４に遷移される（３００３）。このことは、ＵＥ１０２の電力消費を低減するために行われる。例えば、メイン受信機１３５１が非アクティブ状態３８４に遷移する前に、制御チャネル２６２での適切な制御シグナリングによって、データ接続１６０を解除することが可能である（図９には示さず）。４００１および４００２は、メイン受信機１３５１で通信される。タイムアウト持続時間２０１は、非アクティブ状態３８４に遷移するためのトリガ基準の実装形態の一例であり、他のトリガ基準も可能である。
【００８１】
ＷＵＳ４００３を通信する複数のウェイクアップオケージョンは、次に、リソース２０２を再発生させることによって実装される。例えば、リソース２０２は、メイン受信機１９５１を用いる通信に使用される時間−周波数グリッドで定義された無線リソースであってもよい。これにより、ＢＳ１０１と通信する別のＵＥとの干渉をさける。ウェイクアップオケージョンは、ページングフレーム内に配置されてよい。
【００８２】
ある時点で、ＢＳ１０１は、ＷＵＳ４００３を伝送する（３００４）。これは、伝送バッファ内に、ＵＥ１０２への伝送向けにスケジュールされたＤＬデータ（例えば、ペイロードデータまたは制御データ）があることが理由である場合がある。ＷＵＳ４００３の伝送に対する別のトリガ基準が考えられる。ＷＵＳ４００３は、ＵＥ１０２によって受信される。
【００８３】
ＷＵＳ４００３の受信に応じて、ＵＥ１０２のメイン受信機１３５１は、アクティブ状態に遷移する（３００５）。
【００８４】
続いて、３００６で、ページングインジケータ４００４が、ＢＳ１０１によってＵＥ１０２に伝送される。それぞれのＰＯは、ＷＵＳ４００３が通信された、ウェイクアップオケージョンに関連付けられる。ページングインジケータ４００４は、メイン受信機１３５１によって受信される。例えば、ページングインジケータは、チャネル２６２、例えばＰＤＣＣＨで伝送されてよい。例えば、ページングインジケータは、ＵＥ１０２の一時的なまたは静的な識別を含んでもよい。ページングインジケータは、多義的な国際移動体加入者識別番号（International  Mobile  Subscriber  Identity  ：ＩＭＳＩ）など各ＵＥの一意な識別情報から導き出される場合があるので、そのインジケータは複数のＵＥを示すこともある。ページングインジケータ４００４に含まれる場合がある１つまたは複数のＵＥの識別情報の例としては、３ＧＰＰ  ＬＴＥフレームワークのページング無線ネットワーク一時識別子（Paging  Radio  Network  Temporary  Identifier：Ｐ−ＲＮＴＩ）が挙げられる。Ｐ−ＲＮＴＩは、特定のＵＥではなく、ＵＥのグループを指し示す場合がある。Ｐ−ＲＮＴＩは、ページングされる加入者のＩＭＳＩから導き出され、ＢＳによって作成される場合がある。
【００８５】
例えば、ＷＵＳが既にＵＥ固有である場合、このページングインジケータは、単に制御メッセージであることがあり、例えば、Ｐ−ＲＮＴＩの代わりに、セル無線ネットワーク一時識別子（Cell  Radio  Network  Temporary  Identifier：Ｃ−ＲＮＴＩ）を含む場合がある。例えば、ページングインジケータは、ＵＥ関連インジケータを含まないが、単に、例えば、セル関連インジケータを含むことが考えられる。
【００８６】
ページングインジケータ４００４はまた、３００７で、ページングメッセージ４００５を通信するために使用されるＭＣＳに関する情報を含んでもよい。ページングメッセージ４００５は、共有チャネル２６３、例えば、ＰＤＳＣＨで通信されてよい。概して、ページングインジケータ４００４およびページングメッセージ４００５は、異なるチャネルで通信されてよい。ページングメッセージ４００５は、ページングインジケータ４００４によって示されたＭＣＳに従って、変調および符号化されてよい。したがって、ＵＥ１０２が最初にページングインジケータ４００４を、次にページングメッセージ４００５を受信することが必要である場合がある。
【００８７】
次に、３００８で、データ接続１６０が、ＵＥ１０２とＢＳ１０１との間でセットアップされる。これは、ランダムアクセスプロシージャおよび無線リソース制御（Radio  Resource  Control：ＲＲＣ）セットアップを含んでもよい。
【００８８】
最後に、３００９で、新たにセットアップされたデータ接続１６０を使用して、ＵＬまたはＤＬユーザデータメッセージ４００２は通信される。
【００８９】
図９によって明らかなように、３００５で、メイン受信機１３５１をアクティブ状態に遷移させると、データ接続１６０を再確立させる必要がある。このために、データ接続１６０がセットアップまたは継続されていない場合、メイン受信機１３５１の非アクティブ状態３８４の間、ＵＥ１０２は、アイドルモードで作動する。しかし、本明細書に記載される種々の例では、ＵＥ１０２が非アクティブ状態３８４の間に作動する特定のモードの別の実装形態が考えられる。
【００９０】
図１０は、ＵＥ１０２が作動する場合がある異なるモード３０１から３０５に関する態様を示す。図１０はまた、種々のモード３０１から３０５でのＷＵＳおよびページング信号の通信の関連付けに関する態様を示す。本明細書に記載される種々の例では、ＷＵＳは、ＵＥ１０２の一定の作動モード３０４、３０５で通信されることが可能である。
【００９１】
接続モード３０１の間、データ接続１６０はセットアップされている。例えば、デフォルトベアラおよび任意選択で１つまたは複数の専用ベアラが、ＵＥ１０２とネットワーク１００との間でセットアップされてよい。次に、電力消費を低減するために、接続モード３０１から、メイン受信機１３５１のＤＲＸサイクルを伴う接続モード３０２に遷移することが可能である。ＤＲＸサイクルは、オン期間およびオフ期間を含む。オフ期間の間、メイン受信機１３５１はデータを受信する能力がない。ＤＲＸサイクルのタイミングは、ＢＳ１０１が接続モードＤＲＸサイクルのオン期間で任意のＤＬ伝送を整合できるようにＵＥ１０２とＢＳ１０１との間で同期される。ベアラ／データ接続１６０は、モード３０２の際にセットアップが維持される。
【００９２】
さらなる電力低減を達成するために、アイドルモード３０３で実装することが可能である。アイドルモード３０３もまた、ＵＥ１０２のメイン受信機１３５１のＤＲＸサイクルと関連付けられる。しかし、アイドルモード３０３のＤＲＸサイクルのオン期間の間、メイン受信機１３５１は、ページングインジケータおよび任意選択でページングメッセージを受信するためのみに適合される。例えば、これは、アイドルモード３０３でのＤＲＸサイクルのオン期間の間、メイン受信機１３５１によって監視される必要がある特定の帯域幅を制約することを助力する可能性がある。これにより、例えば、接続モード３０２と比べて、電力消費のさらなる低減を助力することができる。
【００９３】
モード３０１から３０３では、メイン受信機１３５１は、アクティブ状態で作動される。低電力受信機１３５２は、必要とされない。
【００９４】
図１０の例では、さらに２つのモード３０４、３０５が示されている。モード３０４、３０５の両方は、メイン受信機１３５１が非アクティブ状態３８４で作動される場合のシナリオに関する。それゆえ、モード３０４、３０５の間、メイン受信機１３５１は、持続的にスイッチが切られ、特に、いかなるオン期間の間もスイッチは入れられない。それとは異なり、モード３０４、３０５の間に、例えば、低電力受信機１３５２の対応するＤＲＸサイクルに従って、低電力受信機１３５２がアクティブ状態で少なくとも時々作動する。
【００９５】
モード３０４では、ＵＥ１０２とネットワーク１００との間でデータ接続１６０が継続される。例えば、それぞれのレジストリエントリが、例えば、ＭＭＥ１１６などのコアネットワークモビリティノードで、ＵＥ１０２およびネットワーク１００によって継続されてよい。モード３０４への遷移は、非アクティブスケジュール２０１によって決定されてよい。モード３０４では、ＷＵＳの通信に応じて通信される別の信号が、データ接続１６０に関連付けられたユーザデータメッセージを直接符号化することが可能である。ランダムアクセスプロシージャは必要とされない。したがって、このような例では、ネットワーク１００とＵＥ１０２との間のデータ接続１６０が確立されてよく、次に、接続１６０が確立されている間、ＷＵＳは通信されてよい。このようなシナリオでは、ＢＳ１０１は、メイン受信機１２５１の非アクティブスケジュール２０１に応じて、ＤＬ共有チャネルのＤＬユーザデータメッセージに割り当てられたリソースを示すＤＬスケジューリンググラントを伝送するか、ＷＵＳを伝送するかを選択しなければならない場合がある。ＵＥ１０２は、モード３０４で、ＤＬ制御情報（DL  Control  Information：ＤＣＩ）を繰り返しリッスンする必要はない。モード３０４は、場合によっては、例えば、ＢＳ１０１によるより複雑な管理作業という犠牲を払って、ペイロードデータの低遅延伝送を提供する。
【００９６】
それとは異なり、モード３０５では、ＵＥ１０２とネットワーク１００との間のデータ接続１６０は継続されない。ページングによってトリガされるランダムアクセスプロシージャが、必要とされる場合がある（図１０参照）。
【００９７】
図１０の例では、低電力受信機モード３０４、３０５の両方が低電力受信機１５３２のＤＲＸサイクルを実装するシナリオが示されている。したがって、ＷＵＳ４００３は、ＤＲＸサイクルのタイミングに応じて通信される。しかし、概して、低電力受信機１３５２が、持続的にＷＵＳを受信するように適合されるように、すなわち、オン期間およびオフ期間を実装せずに、モード３０４、３０５を実装することも可能である。
【００９８】
図１１は、それぞれのモード３０１から３０５の間の切換に関する態様を示す。さらに、図１１は、ＤＲＸサイクル３７０を用いる態様も示す。ＷＵＳの通信に関して本明細書に記載される種々の例の前述の技術を用いることが可能である。
【００９９】
まず、ＵＥ１０２は、接続モード３０１で作動する。これにより、メイン受信機１３５１がアクティブ状態３８１で持続的に作動するので、高レベルで持続的な電力消費が生じる。その場合、電力消費を低減するために、ＤＲＸを伴う接続モード３０２が起動される。ここでは、アクティブ状態３８１および非アクティブ状態３８４で選択的に作動している、メイン受信機１３５１のオン期間３７１およびオフ期間３７２が示されている。
【０１００】
さらに電力消費を低減するために、次に、アイドルモード３０３が起動される。これは、データ接続１６０を解除することを伴う。やはり、この場合も、アイドルモード３０３は、オン期間３７１およびオフ期間３７２を含むＤＲＸサイクルを用いる。アイドルモード３０３では、接続モード３０２と比べると、アクティブ状態３８２で作動しているメイン受信機１３５１の可能出力を減らすことができるので、モード３０３でのオン期間３７１は、接続モード３０２でのオン期間３７１と比べると、より低い電力消費と結び付けて考えられる。アイドルモード３０３の間のアクティブ状態３８２のときに、メイン受信機１３５１は、ページング信号の受信のみを予測する。
【０１０１】
最後に、さらに電力消費をいっそう低減するために、アイドルモード３０５が起動される。アイドルモード３０５に遷移するとすぐに、メイン受信機１３５１は、アクティブ状態３８１、３８２から非アクティブ状態３８４に持続的に遷移する。ＤＲＸサイクル３７０は、再び、ＤＲＸサイクル周期／長３７５に従ってオン期間３７１およびオフ期間３７２を含んで実装される。ここで、オン期間３７１は、ウェイクアップオケージョンを画定する。
【０１０２】
ＤＲＸサイクル３７０は、低電力受信機１３５２をアクティブ状態３８３と、非アクティブ状態３８４との間で切り換えることによって実装される（図１１の破線）。
【０１０３】
種々の状態３８１から３８４は、例証のみである。図では、メイン受信機が、ＤＲＸ接続モード３０２のときに完全な非アクティブ状態３８４に遷移せず、むしろ、オフ期間３７２では、３８１と３８４との間の中間状態であると見なすことができると考えられる。
【０１０４】
図１２は、アイドルモード３０３でＵＥを作動させることに関する態様を示す。特に、図１２は、ページング信号４００４およびページングメッセージ４００５をリッスンすることに関する態様を示す。図１２はまた、参考実装形態に従うＵＥ１０２とＢＳ１０１との同期、およびチャネルセンシングを実施することに関する態様も示す。
【０１０５】
６００１では、オフ期間３７２が満了して、オン期間３７１が開始する。この時点では、ＵＥ１０２の受信機１３５１は、ページング信号４００４を受信するために適合されるアクティブ状態３８２に遷移される（図１１参照）。しかし、ページング信号４００４を受信する前に、ＵＥ１０２は、６００２で受信機１３５１を介して同期信号を受信する。同期信号に基づいて、時間領域および周波数領域の両方で、ＢＳ１０１とＵＥ１０２との同期が可能である。
【０１０６】
次に、６００３で、場合によりパイロット信号またはチャネル参照信号（Channel  Reference  Signal：ＣＲＳ）とも呼ばれる参照信号４１０２が受信される。参照信号４１０２に基づいて、チャネルセンシングが実施可能である。チャネルセンシングは、ＢＳ１０１とＵＥ１０２との間のチャネルの通信信頼性測定を容易にする。ＵＥ１０２とＢＳ１０１との間のチャネルの通信信頼性が充分である場合、次に、６００４でページング信号４００４を受信することができる。ページング信号４００４は、ＵＥ１０２に関連付けられたインジケータを含む場合があり、その場合、６００５で、ページングメッセージ４００５を受信することができる。図１２のシナリオでは、６００４で、特定のＵＥ１０２はページングされず、その場合、ページングメッセージ４００５は受信されない。したがって、受信機１３５１は、後続のオフ期間３７２の間、非アクティブ状態３８４に再び遷移する。ページングメッセージ４００５を受信する場合のＰＤＳＣＨでのブラインド復号は必要とされない。
【０１０７】
図１３は、アイドルモード３０５でＵＥを作動させることに関する態様を示す。具体的には、図１３は、ＷＵＳ４００３、ページング信号４００４およびページングメッセージ４００５をリッスンすることに関する態様を示す。図１３はまた、ＵＥ１０２とＢＳ１０１との同期、およびチャネルセンシングに関する態様を示す。
【０１０８】
図１３のシナリオは、概して、図１２のシナリオに対応している。しかし、図１３のシナリオでは、６００４で、ページング信号４００４を受信する前に、６００６で、ＷＵＳ４００３が受信される。ＷＵＳ４００３は、ＤＲＸ３７０と時間整合されて通信される。６００６でＷＵＳの受信を可能にするために、６００２で、ＢＳ１０１によってブロードキャストされる同期信号４１０１が受信され、かつ６００３で、ＢＳ１０１によってブロードキャストされる参照信号４１０２が受信される。
【０１０９】
ＷＵＳ４００３は、ページング信号４００４に関連付けられたＰＯを示している。したがって、ＷＵＳ４００３を受信すると、ＵＥ１０２は、対応するＰＯでページング信号４００４を受信するその後の試みが通知されてよい。ＷＵＳ４００３とＰＯとの関連付けの詳細は、図１４と共に示される。
【０１１０】
図１４は、参考実装形態に従って、複数のＷＵＳ４００３−１、４００３−２、４００３−３を通信することに関する態様を示す。種々のＷＵＳ４００３−１、４００３−２、４００３−３は、ウェイクアップオケージョンに従って通信される。ウェイクアップオケージョンは、ＤＲＸサイクル３７０と時間整合される場合がある。
【０１１１】
図１４のシナリオでは、それぞれのＷＵＳ４００３−１から４００３−３が、異なるＰＯ４９０１、４９０２、４９０３に関連付けられている。例えば、ＷＵＳ４００３−１はＰＯ４９０１に関連付けられ、ＷＵＳ４００３−２はＰＯ４９０２に関連付けられ、ＷＵＳ４００３−３はＰＯ４９０３に関連付けられる。
【０１１２】
ＰＯ４９０１から４９０３は、ページングフレーム４９００に含まれる。ページングフレーム４９００は、対応する制御チャネルのリソース２０２のセットを割り当てる場合がある。典型的には、伝送プロトコルは、無線フレームを用いる。例えば、無線フレームは、複数のサブフレームを含むことがある。無線フレームは、５ｍｓから５０ｍｓの間、典型的には１０ｍｓの時間長である場合がある。無線フレームの系列では、ＰＯ４９０１から４９０３は、例えば、一部の無線フレームのみに準備される場合がある。これらの無線フレームは、典型的にはページングフレームと呼ばれる。図１４に示すように、ページングフレーム４９００ごとに、複数のＰＯ４９０１から４９０３が存在する場合がある。
【０１１３】
図１４では、各ＰＯ４９０１、４９０２、４９０３に対して、対応するウェイクアップオケージョンおよび対応するＷＵＳ４００３−１、４００３−２、４００３−３が必要とされる。したがって、図１４の参考実装形態は、リソース効率が悪い。ＷＵＳの数は、ＰＯの数で拡大縮小する。したがって、概して、ＷＵＳの数は、ＵＥの数が増える場合に、大幅に増える傾向がある。各例に従って、このような欠点は緩和される。各例に従って、単一のＷＵＳは、複数のＰＯに関連付けられてよい。このようなシナリオは図１５に示される。
【０１１４】
図１５はＷＵＳ７００を通信することに関する態様を示す。ＷＵＳ７００は、複数のＰＯ４９０１、４９０２、４９０３に関連付けられる。ＷＵＳ７００は、ＢＳ１０１によって伝送され、かつＵＥ１０２によって受信されてよい。それぞれのＰＯ４９０１、４９０２、４９０３は、異なるＵＥに関連付けられてよい。概して、各ＰＯは、１つのＵＥまたはＵＥのグループのページングに関連付けられてよい。
【０１１５】
図１５では、ＰＯ４９０１、４９０２、４９０３は、時間領域でオフセットされる。本明細書に記載される種々のシナリオでは、例えば、多重ＰＯ時間領域、コード領域、および／または周波数領域をオフセットする様々な多重化技術が、ＰＯに関して実装されてよい。したがって、それぞれのＰＯに関連付けられた異なるＵＥは、個別に対象とされる場合がある。
【０１１６】
図１５の例では、次に、ＢＳ１０１は、ＰＯ４９０１、４９０２、４９０３のすべてでページング信号４００４を伝送する。概して、ページング信号４００４は、ＷＵＳ７００が関連付けられている各ＰＯ４９０１、４９０２、４９０３で伝送される必要はない。例えば、下りリンクデータが伝送するのに待ち行列に入れられているかどうかに応じて、ページング信号４００４が伝送されてよいか、あるいは伝送されなくてよいかが決まる。
【０１１７】
それぞれのＰＯ４９０１から４９０３は、異なるＵＥのＰＯに対して提供されてよい。したがって、単一のＷＵＳ７００によって、複数のＵＥのページングを実装することが可能である。したがって、ＷＵＳは、複数のＵＥの間で共有され得る。複数のＵＥが、グループに分けられて、各グループをそれぞれのＰＯに関連付けることができる。これにより、制御シグナリングオーバーヘッドを低減する。
【０１１８】
ＷＵＳ７００を実装するために可能な種々の選択肢がある。このような選択肢は、図１６から２１に関して記載される。
【０１１９】
図１６は、ＷＵＳ７０１の例示的実装形態に関する態様を示す。ＷＵＳ７０１は、複数のＰＯに関連付けられる。ＷＵＳ７０１は関連付けられる複数のＰＯのそれぞれを明確に示してはいない。ＷＵＳ７０１はまた、複数のＰＯを通してページングされてよい種々のＵＥも明確に示していない。むしろ、ＷＵＳは、次のページングのみを示している。その場合、関連するすべてのＵＥは、関連するＰＯ４９０１から４９０３でページング信号をリッスンすることがある。
【０１２０】
１つのシナリオでは、ＷＵＳ７０１は、その中で関連するＰＯ４９０１から４９０３が提供される１つまたは複数のページングフレームを示すことが考えられる（図１６には示さず）。
【０１２１】
例えば、本明細書に記載される種々の例では、ＵＥが関連付けられた特定のＰＯ４９０１から４９０３は、数式に基づくものであってよく、その数式は、入力パラメータ、ＵＥの識別情報、またはＵＥに関連付けられた加入者の識別情報（例えば、国際移動体加入者識別番号（ＩＭＳＩ））として受信されてよい。別の入力パラメータは、ページングフレームのフレーム番号であってもよい。したがって、フレーム番号を決定し、かつＩＭＳＩを使用することにより、ＵＥは、ＷＵＳ７００を受信した後に、それ自体のＰＯ４９０１から４９０３のタイミングを導き出すことができる。
【０１２２】
図１６のシナリオでは、ＷＵＳ７０１が短いので、制御シグナリングオーバーヘッドは低い。ＷＵＳ７０１は、ＵＥ不特定ベース系列から生成されてよい（図７のブロック２００１を参照）。ベース系列は、それぞれのＰＯ間で見分けられない場合がある。他方では、例えば、ＤＬデータが充分でないためにページング信号が実際にはない場合であっても、すべてのＵＥは、その後のページング信号の可能性をリッスンする必要がある場合がある。
【０１２３】
異なるＰＯに関連付けられた複数のＵＥ間の不明確さは、ＷＵＳ７０１では解決されない。したがって、一部のシナリオでは、（ｉ）制御シグナリングオーバーヘッドと、（ｉｉ）ＵＥにおける電力消費量との間で、（ｉｉ）を優先して、トレードオフ状態を調整することが望ましい場合がある。このようなシナリオは、図１７から２１に示される。
【０１２４】
図１７は、ＷＵＳ７０２の例示的実装形態に関する態様を示す。ＷＵＳ７０２は、複数のＰＯに関連付けられる。ＷＵＳ７０２は、複数のＰＯを示している。具体的には、ＷＵＳ７０２は、複数のＰＯのそれぞれについて、ページング信号がそれぞれのＰＯで伝送されるかどうかを示す。対応するインジケータが、ＷＵＳ７０２に含まれてよい。ＷＵＳ７０２は、１つまたは複数のＵＥを対象としてよい。図１７に示されるように、ＷＵＳ７０２の配信先とＰＯとの間で、１対Ｎのマッピングがある。
【０１２５】
このような実装形態は、例えば、非ページングＰＯに関連付けられたＵＥがその後のページング信号をリッスンする必要がないので、電力消費量を低減する。むしろ、対応する１つまたは複数の非ページングＵＥ（例えば、図１７の例では、ＰＯ「ＰＯ２」および「ＰＯ３」に関連付けられているＵＥ）は、それら自体の受信機１３５１、１３５２を非アクティブ状態３８４に遷移させることができる。所定のＰＯでページングされるかどうかの不明確さは、ＷＵＳ７０２によって事前に解決することができる。
【０１２６】
図１８もまた、ＷＵＳ７０３の例示的実装形態に関する態様を示す。ＷＵＳ７０３は、複数のＰＯに関連付けられる。ＰＯを示す代わりに、ＷＵＳ７０３は、複数のＵＥを示している。ＷＵＳ７０３は、例えば、種々のＵＥの一意な識別子を示す対応するインジケータを含んでよい。
【０１２７】
図１８の例によるシナリオは、ＵＥとＰＯとの間で固定および所定のマッピングが存在する場合に有用である場合がある。例えば、ＰＯは、所定の規則に従ってそれぞれのＵＥの識別情報から導き出されてよい。例えば、ＷＵＳ７０３の時間−周波数位置に対して、異なるＵＥ向けに異なるように、ＰＯの時間−周波数位置は予め定められてよい。
【０１２８】
図１９は、ＷＵＳ７０４の別の例示的実装形態に関する態様を示す。ＷＵＳ７０４は、複数のＰＯと、複数のＵＥとの両方を示している。具体的には、ＷＵＳ７０４は、複数のＰＯと、複数のＵＥとの間のマッピングを示している。例えば、ビットマップインジケータとして構成されたマルチビットインジケータを使用することができる。ここで、ビットマップインジケータの異なるエントリは、異なるＰＯに対応してもよく、別々に関連付けられたＵＥを示してもよい。
【０１２９】
例えば、このようなマルチビットインジケータは、ビット系列として符号化されてよい。ここで、対応するビットマップの異なるエントリは、異なるＰＯ、あるいは異なるＵＥに関連してもよい。ビットマップの各エントリの長さは変動してもよく、エントリの限界設定が使用されてよい。これには、マッピングの応用自在性が高くなるといった効果がある。したがって、マルチビットインジケータを、ペイロードセクションに含むことができる。
【０１３０】
代替例では、マルチビットインジケータを画定する、所定のベース系列、または、概して、ＷＵＳに含まれる任意の別のビット系列を使用することが可能である（図７および図８を参照）。したがって、選択可能な複数の候補ビット系列がある場合があり、各候補ビット系列は予め定められ、かつ一定のマッピングに予め関連付けられてよい。これは、以下の表によって示される。
【０１３１】
ＰＯとＵＥとの間のマッピングに応じるビット系列の値
【表１】
2021502029.tif 000003
【０１３２】
表１から、以下のことを参照することができる。例えば、ＷＵＳが、ＵＥ固有でない場合、ＷＵＳはインデックス０を含む。ＷＵＳが、ＵＥ１またはＵＥグループ１のＰＯ１でのその後のページングを示す場合、ＷＵＳはインデックス１を含む。ＷＵＳが、ＵＥ１またはＵＥグループ１のＰＯ４でのその後のページングを示す場合、ＷＵＳはインデックス４を含む。ＷＵＳが、ＵＥ１またはＵＥグループ１のＰＯ１でのその後のページングを示し、かつＵＥ４またはＵＥグループ４のＰＯ４でのその後のページングをさらに示す場合、ＷＵＳはインデックス１６を含む（すなわち、１＋１６）。
【０１３３】
ここで、概して、ベース系列は、一部の所定の規則に従って、ＰＯとＵＥとの間のマッピングを符号化してよい。ベース系列へのこのようなマルチビットインジケータのマッピングの代わりに、概して、マルチビットインジケータは、ＷＵＳ７０４に含まれる任意のビット系列にマップされる場合がある。
【０１３４】
ビット系列へのマッピングを符号化するこのような技術を使用して、短いＷＵＳ７０４が実現される可能性があるが、選択可能な所定のマッピングの制限カウントのみがある場合がある。
【０１３５】
その他の例では、ビットマップは、２次元配列を実装する場合があり、配列の各エントリは、対応するＵＥおよび関連するＰＯに関連付けられてよい。例えば、このような２次元配列アプローチを使用して、ＷＵＳ７０４は、以下のように実装することができる。
【０１３６】
［０；０；１；０］；［０；０；０；０］；［０；０；０；０］；［１；１；０；０］。ここで、最初の項は「ＰＯ１」に対応し、「ＰＯ１」では、「ＵＥ３」のみがページング信号を介してページングされる。したがって、３つめのエントリのみが「１」とマークされ、「ＵＥ１」、「ＵＥ２」および「ＵＥ３」に対応するエントリは「０」とマークされる。２番目の項は「ＰＯ２」に対応し、３番目の項は「ＰＯ３」に対応する。それらは、いずれのＵＥに対してもページング信号を伝送するために使用されないので、すべてのエントリは「０」である。３番目の項は「ＰＯ４」に対応し、この場合は、「ＵＥ１」および「ＵＥ２」はページングされるので、最初と、２番目のエントリは「１」である。
【０１３７】
ＷＵＳ７０４がＰＯとＵＥとの間のマッピングを示すこのようなシナリオは、ＰＯとＵＥとの間の関連付けの柔軟な再割り当てを容易にする。これは、トラフィックシェーピングに関して望ましい場合がある。
【０１３８】
図１６から１９の例では、ＷＵＳ７０１から７０４は、対応するＰＯの特定の時間−周波数位置を示さない。むしろ、時間−周波数位置は、少なくとも部分的に予め定められてよい（例えば、ＵＥ識別情報に基づいて、パラメータ化されてよい）。しかし、図１６から１９のこのような例は、ＷＵＳ７０５が種々のＰＯの時間位置および／または周波数位置を示すシナリオとも容易に組み合わせることができる。このような例は、図２０および２１と共に示される。
【０１３９】
図２０は、ＷＵＳ７０５のさらなる例示的実装形態に関する態様を示す。ＷＵＳ７０５は複数のＰＯを示しているが、概して、複数のＵＥも示す場合もある（図１９を参照）。図２０の例では、ＷＵＳ７０５は、対応するＰＯを含む無線フレームを示している。したがって、ＷＵＳ７０５は、比較的低いレゾリューションで時間位置を示している。このようなシナリオは、複数のページングフレームにわたって分散されるＵＥのページングに対処するために有用である場合がある。これは、大量のＵＥ向けにＰＯを提供するのに役立つ。
【０１４０】
例えば、異なる無線フレーム／ページングフレームは、系列番号によって対象とされる場合がある（例えば、相対的に、または絶対的に定義する場合がある）。
【０１４１】
図２１は、ＷＵＳ７０６のさらに別の例示的実装形態に関する態様を示す。ＷＵＳ７０６は複数のＰＯを示しているが、概して、複数のＵＥも示すこともできる（図１９を参照）。図２０の例では、ＷＵＳ７０６は、ＷＵＳ７０６の時間位置に対して、または時間における別の参照位置で別々に画定された、それぞれのＰＯの時間位置を示している。代替または追加として、ＷＵＳ７０６は、ＷＵＳ７０６の周波数位置に対して、または異なる参照周波数に対して別々に画定された、それぞれのＰＯの周波数位置を示すこともできる。概して、ＷＵＳ７０６は、それぞれのＰＯの時間−周波数位置を示すこともできる。
【０１４２】
したがって、時間−周波数リソースグリッドで、ＰＯ向けのリソースエレメントの柔軟な割り当てが可能になる。これは、特に、場合により大量のＵＥがページングされる必要があるシナリオで、高周波数帯利用を容易にする。
【０１４３】
図２２Ａは、ＷＵＳ７０７の別の例示的実装形態に関する態様を示す。ＷＵＳ７０７は、ＵＥ１０２−１から１０２−８およびＰＯ４９０１から４９０４の間のマッピングを示すマルチビットビットマップインジケータを含む。特に、各ＰＯ４９０１から４９０４に対して、１つのＵＥまたはＵＥ１０２−１から１０２−８のグループが関連される場合がある。
【０１４４】
図２２Ａに示すように、ビットマップインジケータは、ＵＥ１０２−１および１０２−５に関連付けられているＰＯ４９０１を示している。概して、ＰＯ４９０１から４９０４の少なくとも一部は、典型的には複数のＵＥを含む、対応するＵＥグループのページング向けのものであることが考えられる。例えば、ＵＥグループの異なるＵＥ間の不明確さは、ページング信号４００４あるいはページングメッセージ４００５によっても、解決され得る。
【０１４５】
続いて、ビットマップインジケータは、ＵＥ１０２−４に関連付けられているＰＯ４９０２、ＵＥ１０２−７に関連付けられているＰＯ４９０３、ＵＥ１０２−４に関連付けられているＰＯ４９０４を示す。それにより、それぞれのＵＥ１０２−１、１０２−４、１０２−５および１０２−７は、異なるＰＯを使用して柔軟にページングされることが可能である。
【０１４６】
ＰＯ４９０２および４９０４の両方に関連付けられているＵＥ１０２−４に関しては、このような重複するページングは、ページングの成功の信頼性を上げるのに有用である場合がある。概して、異なるＰＯのうち少なくとも一部が異なるＵＥに関連付けられてよいが、これは必須ではない。このＵＥ１０２−４とＰＯ４９０２、４９０４との１対Ｎのマッピングは、概して、ＷＵＳ７０７が図２２Ａのようなマルチビットビットマップインジケータを含まない場合であっても本明細書に記載される種々の例（例えば、図１７に記載されるようなＷＵＳ７０２に）に適用可能である。例えば、対応するシナリオが図２２Ｂに示される。図２２Ｂは、概して、図２２Ａのシナリオに対応する。しかし、図２２Ｂのシナリオでは、ＵＥ１０２−１、１０２−５それぞれに対して、すなわちＰＯ４９０１、４９０３で１対Ｎのマッピングがある。ＵＥ１０２−１、１０２−５は、グループの形態であってよい。
【０１４７】
図２３は、種々の例に従った方法のフロー図である。図２３の方法は、ＵＥによって実行されてよい。例えば、図２３に従った方法は、ＵＥ１０２の制御回路１０２２によって実行されてよい。
【０１４８】
ブロック８００１で、ＷＵＳは受信される。ＷＵＳは、複数のＰＯに関連付けられる。複数のＰＯのそれぞれは、１つまたは複数のＵＥに関連付けられてよい。すなわち、例証として、複数のＰＯは、単一の所定のＵＥまたは、複数のＵＥ（例えば、ＵＥグループ）に関連付けられてよい。例えば、ＷＵＳは、単一の所与のＵＥまたは複数のＵＥに対して向けられてよい。
【０１４９】
次に、ブロック８００２で、ＷＵＳに基づいて、複数のＰＯのうち少なくとも１つに関するページング信号のリッスンが実行される。例えば、ＵＥは、複数のＰＯでＷＵＳをリッスンして、ページングに冗長性をもたせてもよい。例えば、対応する少なくとも１つのＰＯは、ＷＵＳに含まれている情報に基づいて複数のＰＯから選択されてよい。代替または追加として、少なくとも１つのＰＯは、予め定められた情報、例えば、予め定められたＵＥ識別情報とＰＯとの間のマッピングに基づいて複数のＰＯから選択されてよい。
【０１５０】
図２４は、種々の例に従った方法のフロー図である。例えば、図２４に従った方法は、ＢＳ１０１の制御回路１０１２によって実行されてよい。
【０１５１】
ブロック８０１１で、ＷＵＳは伝送される。ＷＵＳは、複数のＰＯに関連付けられる。複数のＰＯのそれぞれは、複数のＵＥに関連付けられてよい。ブロック８０１１は、ブロック８００１と互いに関連する。
【０１５２】
次に、ブロック８０１２で、１つまたは複数のページング信号が複数のＰＯのうち少なくとも１つで伝送される。例えば、ページング信号は、ＷＵＳによって示されるような１つまたは複数のＰＯで伝送されてよい。ＷＵＳが関連付けられ、かつページング信号がブロック８０１２で伝送される複数のＰＯのうち特定のＰＯが、ＷＵＳによって示されないことも考えられる。
【０１５３】
以上、複数のＵＥの間でＷＵＳの共有を可能にする、説明されてきた技術について要約する。特に、ＷＵＳが複数のＵＥに関連付けられた複数のＰＯを示すことが可能である。
【０１５４】
ＷＵＳは、ＵＥの１つまたは複数の対象グループを示す情報を含むことができる。したがって、このＷＵＳを検出し、かつグループ情報に示されるグループのうち１つに属するＵＥは、「ウェイクアップ」して、その関連するページングオケージョンを復号することを試みる。
【０１５５】
１つの典型例として、グループインジケータは、次に予定されているＰＯのうち１つまたは複数を示す場合がある。この方法により、複数のＰＯを伴う場合（例えば、ページングフレーム当たり、１つまたは複数のＵＥの場合）であっても、単一のＷＵＳのみの伝送が必要とされることになる。次に予定されているポインタが向けられているのが各グループまたは各ＰＯのうちのどれかを指し示すことが必要とされるインジケータビットの数は、グループの総数によって決定されてよい。
【０１５６】
他のインジケーションの可能性が、対象グループのコンセプトを用いて考慮される可能性もある。一般的なＷＵＳグルーピングの一方法は、例えば、いずれかのページングが少しでもいずれかのＵＥに対して、例えば、所定の特定の次に予定されているＰＯおよび／または所定の複数の次に予定されているページングフレームで実施される場合、インジケータが設定されると定義される場合がある。このような場合、インジケータは、次に予定されているページングがその中にあるフレームを示す場合がある。
【０１５７】
同じＷＵＳを使用するＵＥをグルーピングするために、複数の無線フレームに対して有効な１つのＷＵＳを割り当てることが考えられ、その結果、複数のページングフレームをカバーする。このような例では、一緒にグルーピングされる多数のＵＥが存在し、かつそれらのＰＯが複数の無線フレームの間で生じる場合がある。ＷＵＳは、それ自体のページングオケージョンに対して構成されたＵＥのいずれか向けに実際にページングがある、関連無線フレームのうちどれかに対するマッピングポインタを含んでもよい。代替または追加として、ページングは、ＷＵＳをリッスンするように構成されていないＵＥ（例えば、頻度の高いページングを伴うスマートフォンまたはその他のＵＥ）に対して標準的な方法で、ページングオケージョン内で行われる場合がある。
【０１５８】
本発明をある種の好ましい実施形態に関して示し、記載したが、明細書を読み、理解した上で、等価物および変更が当業者により行われよう。本発明は、かかる等価物および変更をすべて含み、添付の特許請求の範囲によってのみ限定される。
【０１５９】
例示として、ＷＵＳによって対象とされる複数のＰＯが複数のＵＥに関連付けられる種々の例について説明したが、ＷＵＳは所定のＵＥに対して固有のものであるが、その所定のＵＥの複数のＰＯを依然として対象とすることがさらに考えられる。言い換えると、所定のＵＥとＰＯとの間に１対Ｎのマッピングが可能である。これにより、ページングに冗長性をもたすことを助け、その結果、信頼性が向上する。
【図１】
2021502029.tif 000004
【図２】
2021502029.tif 000005
【図３】
2021502029.tif 000006
【図４】
2021502029.tif 000007
【図５】
2021502029.tif 000008
【図６】
2021502029.tif 000009
【図７】
2021502029.tif 000010
【図８】
2021502029.tif 000011
【図９】
2021502029.tif 000012
【図１０】
2021502029.tif 000013
【図１１】
2021502029.tif 000014
【図１２】
2021502029.tif 000015
【図１３】
2021502029.tif 000016
【図１４】
2021502029.tif 000017
【図１５】
2021502029.tif 000018
【図１６】
2021502029.tif 000019
【図１７】
2021502029.tif 000020
【図１８】
2021502029.tif 000021
【図１９】
2021502029.tif 000022
【図２０】
2021502029.tif 000023
【図２１】
2021502029.tif 000024
【図２２Ａ】
2021502029.tif 000025
【図２２Ｂ】
2021502029.tif 000026
【図２３】
2021502029.tif 000027
【図２４】
2021502029.tif 000028
【国際調査報告】
2021502029.tif 000029
2021502029.tif 000030
2021502029.tif 000031